(57)【要約】      （修正有）【課題】ユーザに大きな負担をかけることなく、ユーザの宛先情報とともにユーザのいる地域に関する情報を管理できるようにする宛先情報管理システムを提供する。【解決手段】宛先情報管理システム９０１は、写真を撮影してシールの作成を行う写真シール作成装置１と、写真シール作成装置１と通信可能な管理サーバ６０１とを有する。写真シール作成装置１には、その設置地域に関する地域属性が記憶されている。写真シール作成装置１は、ユーザからメールアドレスを取得する。写真シール作成装置１は、地域属性と、取得されたメールアドレスとを関連付けて管理サーバ６０１に送信する。管理サーバ６０１は、送信された地域属性とメールアドレスとを関連付けて記録する。管理サーバ６０１に記録された情報を用いて、メールアドレスに対応する位置を判別することができる。【選択図】図９
2014081810.tif 000002
【特許請求の範囲】
【請求項１】
ユーザに対してプレイを提供するプレイ提供装置と、前記プレイ提供装置と通信可能な管理装置とを有する宛先情報管理システムであって、
前記プレイ提供装置は、
前記プレイ提供装置の位置を判別するための位置判別情報を記憶する記憶手段と、
前記記憶手段に前記位置判別情報が記憶されている状態で、前記ユーザの宛先情報を取得する宛先取得手段と、
前記記憶手段に記憶されている位置判別情報と前記宛先取得手段により取得された宛先情報とを関連付けて前記管理装置に送信する送信手段とを備え、
前記管理装置は、
前記送信手段により送信された位置判別情報と宛先情報とを関連付けて記録する宛先記録手段と、
前記宛先記録手段により記録された情報を用いて、前記宛先情報に対応する位置を判別する地域判別手段とを備える、宛先情報管理システム。
【請求項２】
前記位置判別情報は、前記プレイ提供装置の位置を示す位置情報を少なくとも含み、
前記地域判別手段は、前記宛先情報に対応する前記位置情報を判別することで、前記宛先情報に対応する位置を判別する、請求項１に記載の宛先情報管理システム。
【請求項３】
前記位置判別情報は、前記プレイ提供装置を一意に特定できる識別情報を少なくとも含み、
前記管理装置は、前記識別情報とその識別情報に対応するプレイ提供装置の位置を示す位置情報とを関連付けて記録する装置位置記録手段をさらに備え、
前記地域判別手段は、前記宛先記録手段により記録された情報と、前記装置位置記録手段により記録された情報とを用いて、前記宛先情報に対応する位置情報を判別することで、前記宛先情報に対応する位置を判別する、請求項１に記載の宛先情報管理システム。
【請求項４】
前記管理装置は、前記宛先記録手段により記録が行われたものと同一の宛先情報について、その宛先情報とそれに関連付けられた位置判別情報とが前記送信手段により新たに送信されたとき、既に存在する記録を新たに送信された情報で更新する更新手段をさらに備える、請求項１から３のいずれか１項に記載の宛先情報管理システム。
【請求項５】
前記管理装置は、前記宛先記録手段により記録が行われたものと同一の宛先情報について、その宛先情報とそれに関連付けられた位置判別情報とが前記送信手段により新たに送信されたとき、前記宛先情報についての受信履歴情報に基づいて、前記宛先情報に対応する位置判別情報の更新を行う更新手段をさらに備える、請求項１から３のいずれか１項に記載の宛先情報管理システム。
【請求項６】
前記記憶手段は、前記プレイとは異なる動作モードであるテストモードでの動作中に前記位置判別情報が入力されたとき、又はプレイ提供装置の起動直後における起動時処理中に前記位置判別情報が入力されたとき、入力された位置判別情報を記憶する、請求項１から５のいずれか１項に記載の宛先情報管理システム。
【請求項７】
前記プレイ提供装置は、表示された地図のうち一部の選択操作を受け付けることにより、前記位置判別情報の入力を受け付ける受付手段をさらに備える、請求項６に記載の宛先情報管理システム。
【請求項８】
前記プレイ提供装置は、外部機器と通信可能であり、
前記記憶手段は、前記外部機器から設定情報を取得し、取得した前記設定情報に基づいて、前記位置判別情報を記憶する、請求項１から７のいずれか１項に記載の宛先情報管理システム。
【請求項９】
前記プレイ提供装置は、前記記憶手段に記憶されている位置判別情報に基づいて、前記プレイの提供を行う、請求項１から８のいずれか１項に記載の宛先情報管理システム。
【請求項１０】
前記プレイ提供装置は、写真を撮影し、その写真を利用して、前記ユーザに提供するシールの作成を行う写真シール作成装置であって、
前記送信手段は、前記撮影した写真に基づく送信用画像データを、前記位置情報と前記宛先情報と共に前記管理装置に送信する、請求項１から９のいずれか１項に記載の宛先情報管理システム。
【請求項１１】
前記管理装置は、
前記送信手段により送信された送信用画像データに基づく取得用画像データを、その取得用画像データに対応するユーザに取得させるために、閲覧可能に保持する保持手段と、
前記送信手段により送信された宛先情報を用いて、前記保持手段により保持されている取得用画像データを前記ユーザに取得させるための取得情報を前記ユーザに通知する通知手段とをさらに備える、請求項１０に記載の宛先情報管理システム。
【請求項１２】
前記管理装置は、前記地域判別手段により判別された、前記宛先情報に対応する位置について、ユーザに確認させる確認画面を外部機器に表示させる確認画面表示手段をさらに備え、
前記通知手段は、前記送信手段により送信された宛先情報を用いて、前記確認画面表示手段により表示される確認画面を閲覧するための情報を前記ユーザに通知し、
前記宛先記録手段は、前記確認画面に対してユーザが修正指示を行ったとき、その修正指示に応じて、前記宛先情報に対応する位置判別情報を変更する、請求項１１に記載の宛先情報管理システム。
【発明の詳細な説明】
【技術分野】
【０００１】
この発明は宛先情報管理システムに関し、特に、利用者の宛先情報を管理する宛先情報管理システムに関する。
【背景技術】
【０００２】
ゲームセンタなどに設置され、装置利用者（ユーザ）に景品を取得させたり種々のコンテンツを提供して楽しませたりするプレイ提供装置がある。このようなプレイ提供装置としては、例えば、ユーザの写真を撮影し、その画像に対してユーザが画像の編集（落書き）を行った後に、それをシールなどのプリント物として提供する写真シール作成装置が知られている。
【０００３】
このようなプレイ提供装置としては、ユーザの宛先情報（例えば、電子メールのメールアドレスなど）を、ユーザから取得するものがある。例えば、写真シール作成装置においては、ユーザに、シールに加えて、画像データを提供できるものがある。このような写真シール作成装置では、ユーザのメールアドレスを、ユーザに入力させたりユーザの携帯端末から送信させたりして取得し、画像データとともにサーバに送信する。サーバは、送信されたメールアドレスを用いて、ユーザに、画像データを取得可能にする方法などの情報を送信する。これにより、ユーザは、画像データを取得できる。
【０００４】
ところで、ユーザの宛先情報を用いて、そのユーザに情報を提供することが広く行われている。例えば、特許文献１には、サーバが、データベースで管理されたメールアドレスを使用して電子ちらしを配布する方法が記載されている。この方法では、データベースにおいてメールアドレスと住所とを関連付けて記憶させておき、指定した地域に対応するメールアドレスを用いて任意の地域に電子ちらしを配布することが記載されている。
【０００５】
なお、特許文献２には、写真シール作成装置の管理を行う情報管理システムにおいて、ユーザの携帯端末を利用して写真シール作成装置の位置情報を取得することが記載されている。この情報管理システムでは、写真シール作成装置の位置情報と筐体ＩＤとを紐付けて管理することで、写真シール作成装置の正確な設置位置を管理することが図られている。
【先行技術文献】
【特許文献】
【０００６】
【特許文献１】特開２００１−１８９７４８号公報
【特許文献２】特開２０１２−１４１７７６号公報
【発明の概要】
【発明が解決しようとする課題】
【０００７】
ところで、プレイ提供装置を用いるユーザに対して、上述のようにしてユーザにより入力された宛先情報を用いて、種々の情報を提供したいというニーズがある。例えば、新製品情報や種々のイベントが開催されるといった案内などの情報をユーザに提供することができれば、便利である。
【０００８】
このようなニーズに対して、従来、宛先情報をプレイ提供装置から外部のサーバなどに送信し、送信先のサーバで管理することが行われている。サーバにおいて、複数のユーザの宛先情報をまとめて管理することで、複数のユーザに対する情報の提供を、一括して行うことができる。
【０００９】
しかしながら、従来のような方法は、ユーザの宛先情報について、特に何らの属性も関係なく、管理を行うというものである。そのため、例えば、特許文献１に記載されているように特定の地域のユーザに対してその地域に関連性の高い情報を提供することは、できないという問題がある。
【００１０】
このような問題に対して、例えば、ユーザに、そのユーザ自身がいる地域に関する情報を、サーバに対して送信させることが考えられる。しかしながら、ユーザにとって、そのようにする意欲は生じにくく、また、ユーザの作業負担が大きくなるという問題がある。したがって、このような方法を採用することはできない。
【００１１】
なお、特許文献２に記載の情報管理システムにおいては、サーバにおいて写真シール作成装置の位置情報が管理される。しかしながら、この位置情報は、個々のユーザに関する情報とは別個に管理されるものであり、ユーザの宛先情報に対して位置情報は関連付けられていない。そのため、特許文献２に記載の技術では、上記の問題点を解決することはできない。
【００１２】
この発明はそのような問題点を解決するためになされたものであり、ユーザに大きな負担をかけることなく、ユーザの宛先情報とともにユーザのいる地域に関する情報を管理できるようにする宛先情報管理システムを提供することを目的としている。
【課題を解決するための手段】
【００１３】
上記目的を達成するためこの発明のある局面に従うと、宛先情報管理システムは、ユーザに対してプレイを提供するプレイ提供装置と、プレイ提供装置と通信可能な管理装置とを有し、プレイ提供装置は、プレイ提供装置の位置を判別するための位置判別情報を記憶する記憶手段と、記憶手段に位置判別情報が記憶されている状態で、ユーザの宛先情報を取得する宛先取得手段と、記憶手段に記憶されている位置判別情報と宛先取得手段により取得された宛先情報とを関連付けて管理装置に送信する送信手段とを備え、管理装置は、送信手段により送信された位置判別情報と宛先情報とを関連付けて記録する宛先記録手段と、宛先記録手段により記録された情報を用いて、宛先情報に対応する位置を判別する地域判別手段とを備える。
【００１４】
好ましくは、位置判別情報は、プレイ提供装置の位置を示す位置情報を少なくとも含み、地域判別手段は、宛先情報に対応する位置情報を判別することで、宛先情報に対応する位置を判別する。
【００１５】
好ましくは、位置判別情報は、プレイ提供装置を一意に特定できる識別情報を少なくとも含み、管理装置は、識別情報とその識別情報に対応するプレイ提供装置の位置を示す位置情報とを関連付けて記録する装置位置記録手段をさらに備え、地域判別手段は、宛先記録手段により記録された情報と、装置位置記録手段により記録された情報とを用いて、宛先情報に対応する位置情報を判別することで、宛先情報に対応する位置を判別する。
【００１６】
好ましくは、管理装置は、宛先記録手段により記録が行われたものと同一の宛先情報について、その宛先情報とそれに関連付けられた位置判別情報とが送信手段により新たに送信されたとき、既に存在する記録を新たに送信された情報で更新する更新手段をさらに備える。
【００１７】
好ましくは、管理装置は、宛先記録手段により記録が行われたものと同一の宛先情報について、その宛先情報とそれに関連付けられた位置判別情報とが送信手段により新たに送信されたとき、宛先情報についての受信履歴情報に基づいて、宛先情報に対応する位置判別情報の更新を行う更新手段をさらに備える。
【００１８】
好ましくは、記憶手段は、プレイとは異なる動作モードであるテストモードでの動作中に位置判別情報が入力されたとき、及びプレイ提供装置の起動直後における起動時処理中に位置判別情報が入力されたときの少なくともいずれか一方の場合、入力された位置判別情報を記憶する。
【００１９】
好ましくは、プレイ提供装置は、表示された地図のうち一部の選択操作を受け付けることにより、位置判別情報の入力を受け付ける受付手段をさらに備える。
【００２０】
好ましくは、プレイ提供装置は、外部機器と通信可能であり、記憶手段は、外部機器から設定情報を取得し、取得した設定情報に基づいて、位置判別情報を記憶する。
【００２１】
好ましくは、プレイ提供装置は、記憶手段に記憶されている位置判別情報に基づいて、プレイの提供を行う。
【００２２】
好ましくは、プレイ提供装置は、写真を撮影し、その写真を利用して、ユーザに提供するシールの作成を行う写真シール作成装置であって、送信手段は、撮影した写真に基づく送信用画像データを、位置情報と宛先情報と共に管理装置に送信する。
【００２３】
好ましくは、管理装置は、送信手段により送信された送信用画像データに基づく取得用画像データを、その取得用画像データに対応するユーザに取得させるために、閲覧可能に保持する保持手段と、送信手段により送信された宛先情報を用いて、保持手段により保持されている取得用画像データをユーザに取得させるための取得情報をユーザに通知する通知手段とをさらに備える。
【００２４】
好ましくは、管理装置は、地域判別手段により判別された、宛先情報に対応する位置について、ユーザに確認させる確認画面を外部機器に表示させる確認画面表示手段をさらに備え、通知手段は、送信手段により送信された宛先情報を用いて、確認画面表示手段により表示される確認画面を閲覧するための情報をユーザに通知し、宛先記録手段は、確認画面に対してユーザが修正指示を行ったとき、その修正指示に応じて、宛先情報に対応する位置判別情報を変更する。
【発明の効果】
【００２５】
これらの発明に従うと、プレイ提供装置の位置判別情報とユーザの宛先情報とがプレイ提供装置から送信され、関連付けられて管理装置で記録される。したがって、ユーザに大きな負担をかけることなく、ユーザの宛先情報とともにユーザのいる地域に関する情報を管理できるようにする宛先情報管理システムを提供することができる。
【図面の簡単な説明】
【００２６】
【図１】本発明の実施の形態の１つにおける写真シール遊技システムのネットワーク接続例を示す図である。
【図２】写真シール作成装置のハードウェア構成を示す側面図である。
【図３】写真シール作成装置のハードウェア構成を示す平面図である。
【図４】写真シール作成装置を用いたプレイを示すフローチャートである。
【図５】写真シール作成装置の前部筐体を示す斜視図である。
【図６】写真シール作成装置の背部筐体を示す斜視図である。
【図７】写真シール作成装置の編集出力装置を示す斜視図である。
【図８】写真シール作成装置の制御に関する構成を説明するブロック図である。
【図９】写真シール遊技システムにおいて情報が送受信される関係を示す図である。
【図１０】ユーザのプレイ時における写真シール作成装置とサーバとの動作を示すシーケンス図である。
【図１１】宛先データベースの一例を示す図である。
【図１２】メールマガジン配信処理の流れの一例を示すフローチャートである。
【図１３】メールマガジン配信処理において用いられる配信地域テーブルの一例及び配信リストの一例を示す図である。
【図１４】メールマガジンの配信例を示す図である。
【図１５】データベース記録処理の一例を示すフローチャートである。
【図１６】データベース記録処理が行われるときの宛先データベースについて説明する図である。
【図１７】データベース記録処理の別の例を示すフローチャートである。
【図１８】写真シール作成装置の製造番号を位置判別情報として用いる場合の装置管理データベースと宛先データベースの一例を示す図である。
【図１９】データベース記録処理のさらに別の例を示すフローチャートである。
【図２０】写真シール作成装置の基本的動作の一例を示すフローチャートである。
【図２１】プレイ時に行われる処理を説明するフローチャートである。
【図２２】テストモードの処理を示すフローチャートである。
【図２３】地域属性登録処理の一例を示すフローチャートである。
【図２４】地域属性登録処理の実行時の表示画面例を示す図である。
【図２５】地域属性登録処理の別の例を示すフローチャートである。
【図２６】地域属性登録処理が行われる際に表示されて用いられる地域選択受付画面を示す図である。
【図２７】起動時処理の一例を示すフローチャートである。
【図２８】起動時処理の別の例を示すフローチャートである。
【図２９】起動時処理のさらに別の例を示すフローチャートである。
【図３０】ユーザのプレイ時における写真シール作成装置とサーバとの動作の別の例を示すシーケンス図である。
【図３１】携帯端末に表示される地域確認画面の一例を示す図である。
【図３２】携帯端末に表示される地域確認画面の別の例を示す図である。
【図３３】プレイ時に行われる処理の変型例を説明するフローチャートである。
【図３４】外部モニタに表示される地域確認画面の一例を示す図である。
【発明を実施するための形態】
【００２７】
以下、本発明の実施の形態における宛先情報管理システムの一例である、写真シール遊技システムについて説明する。
【００２８】
写真シール遊技システムは、写真シール作成装置（プレイ提供装置の一例）と、管理サーバとで構成されている。管理サーバは、写真シール作成装置の複数のユーザの電子メールアドレス（宛先情報の一例；以下、メールアドレスと言うことがある）をデータベースなどを用いて管理する。このように管理されるメールアドレスを用いて電子メールを送信することで、各ユーザに対して種々の情報を提供することができる。
【００２９】
［実施の形態］
【００３０】
図１は、本発明の実施の形態の１つにおける写真シール遊技システムのネットワーク接続例を示す図である。
【００３１】
写真シール作成装置１は、管理サーバ（以下、単にサーバということがある）６０１や携帯端末装置（以下、携帯端末ということがある）７０１（７０１ａ，７０１ｂ）などと共に、写真シール遊戯システム９０１を構成する。写真シール作成装置１は、例えば、ゲームセンタなど、様々な店舗に設置されている。サーバ６０１は、例えば、データセンタで管理されている。携帯端末７０１は、例えば、写真シール作成装置１でプレイするユーザ（プレイヤ）が所有するものである。写真シール遊戯システム９０１の各装置は、例えば、インターネットなどのネットワーク８０１に接続されている。これにより、写真シール作成装置１や携帯端末７０１は、ネットワーク８０１を介して、サーバ６０１と通信可能である。なお、写真シール作成装置１と携帯端末７０１とが互いに通信可能であってもよい。
【００３２】
管理サーバ６０１は、一般的なハードウェア構成を有する電子計算機であり、通信部６０３と、記憶部６０５と、装置の各部を制御する制御部６５０などを有している。通信部６０３は、ＬＡＮ（構内情報通信網）などを経由して、サーバ６０１をネットワーク８０１に接続する。記憶部６０５は、例えばＨＤＤ（Ｈａｒｄ  Ｄｉｓｋ  Ｄｒｉｖｅ）である。記憶部６０５には、制御プログラム６０７が記憶されている。制御部６５０は、例えばＣＰＵやメモリなどで構成されている。制御部６５０は、制御プログラム６０７などを実行することで、サーバ６０１の各部の動作を制御する。
【００３３】
本実施の形態において、記憶部６０５には、宛先データベース６２１や装置管理データベース６２３が記憶されている。これらのデータベース６２１，６２３の詳細については、後述する。
【００３４】
携帯端末７０１は、例えば、いわゆるフィーチャーフォンやスマートフォンである。携帯端末７０１は、通信部７０３と、記憶部７０５と、制御部７５０とを有している。通信部７０３は、例えば、無線ＬＡＮや携帯電話網を通じてネットワーク８０１に接続可能である。記憶部７０５は、例えばフラッシュメモリである。記憶部７０５には、制御プログラム７０７が記憶されている。携帯端末７０１は、さらに、操作部７１１や、表示部７１３や、カメラ７１５などを有している。制御部７５０は、例えばＣＰＵやメモリなどで構成されている。制御部７５０は、制御プログラム７０７などを実行することで、携帯端末７０１の各部の動作を制御する。
【００３５】
本実施の形態において、写真シール作成装置１は、プレイ時に生成された画像のデータをサーバ６０１に送信する。サーバ６０１は、送信された画像データを記憶する。サーバ６０１は、画像データを、それを送信したユーザのデータに対応させて管理する。サーバ６０１は、携帯端末７０１などからのアクセスを受け付け、携帯端末７０１を所有するユーザに対応する画像データを、その携帯端末７０１に対して公開する機能などを有している。これにより、ユーザは、携帯端末７０１を用いて、サーバ６０１に記憶されている画像データを取得可能である。
【００３６】
［写真シール作成装置１の概略構成］
【００３７】
図２は、写真シール作成装置１のハードウェア構成を示す側面図である。図３は、写真シール作成装置１のハードウェア構成を示す平面図である。
【００３８】
図２に示されるように、写真シール作成装置１は、前部筐体（撮影筐体）５１０、背部筐体５４０、及び編集出力装置５７０を有している。前部筐体５１０、背部筐体５４０、及び編集出力装置５７０は、互いに並べられて１台の写真シール作成装置１として用いられる。
【００３９】
前部筐体５１０には、外部モニタ５２１やコイン投入部５２５などが配置された事前接客部５２０が設けられている。事前接客部５２０は、写真シール作成装置１の前部筐体５１０の左側面に配置されている（一方に選択的に配置されていればよく、右側面にあってもよい。）。
【００４０】
編集出力装置５７０の前部には、シール排出口５７５が設けられている。編集出力装置５７０の両側部には、それぞれ、編集モニタ５８１、タッチペン５８３、非接触通信装置５８５、及びスピーカ５８７などを有する編集受付部５８０が設けられている。
【００４１】
図３に示されるように、前部筐体５１０と背部筐体５４０とが組み合わせられることにより、撮影コーナー（撮影ブース）が形成される。撮影コーナーの両側方は開口部となるが、この開口部は、カーテン（図示せず）で覆うことができる。また、編集出力装置５７０の周囲も、カーテン（図示せず）で覆うことができる。これにより、ユーザは、他者にプレイ中の姿や編集画面などをのぞき込まれないようにして、プレイ可能である。
【００４２】
図４は、写真シール作成装置１を用いたプレイを示すフローチャートである。
【００４３】
本実施の形態において、写真シール作成装置１を用いたプレイは、大まかに、次のような４つの段階を順にたどるようにして行われる。通常のプレイは、通常動作モードでの動作時に行われる。
【００４４】
事前接客部５２０のコイン投入部５２５に規定枚数の硬貨が投入されると、プレイが開始する。ステップＳ１において、外部モニタ５２１における受け付けが行われる。このとき、図３において示されるＰ１の位置にユーザが立つ。この段階では、撮影を開始する前に、撮影、編集、作成される画像やシートなどの各種プレイに関する案内及び広告がユーザに対して行われる。また、ユーザは、各種選択操作を行う。
【００４５】
ステップＳ２において、撮影が行われる。このとき、図３において示されるＰ２の位置、すなわち撮影コーナー内にユーザが立つ。撮影コーナーでは、事前接客部５２０で受け付けられた各種選択操作に基づいて、ユーザに対して、各種操作で選択された撮影コースに応じた撮影が行われる。また、それと共に、ユーザによる各種操作が受け付けられ、落書き可能な画像データが作成される。
【００４６】
ステップＳ３において、落書き受け付けが行われる。このとき、図３において示されるＰ３の位置（落書きコーナー）にユーザが立つ。すなわち、ユーザは、左右いずれか一方の編集受付部５８０ａ，５８０ｂに対面するように立つ。落書き受け付けでは、撮影コーナーでのプレイが終了したユーザに対して、各種選択作業に関する案内が行われる。そして、ユーザにより行われる、出力するシールなどについての各種選択操作や、落書き操作が受け付けられる。
【００４７】
ステップＳ４において、シールの出力が行われる。このとき、図３において示されるＰ４の位置にユーザが立つ。すなわち、ユーザは、シール排出口５７５の前方で、シール排出口５７５からシールが排出されるのを待つ。シール排出口５７５からシールが排出されると、写真シール作成装置１の近傍で行われる一連の主なプレイは終了する。
【００４８】
このように、４段階に分かれて、ユーザが移動しながらプレイが進むことで、単位時間当たりに写真シール作成装置１を利用可能なユーザ組数が多くなっている。すなわち、最大で、５組のユーザが、写真シール作成装置１を利用できる。落書き受け付けは時間がかかるため、２つの編集受付部５８０ａ，５８０ｂを用いて、同時に２組のユーザが落書き受け付けの段階をプレイできるように構成されている。
【００４９】
図５は、写真シール作成装置１の前部筐体５１０を示す斜視図である。
【００５０】
図５に示されるように、前部筐体５１０の事前接客部５２０には、外部モニタ５２１と、コイン投入部５２５と、スピーカ５２７とが設けられている。
【００５１】
外部モニタ５２１は、例えば、液晶タッチパネルである。外部モニタ５２１は、ユーザに対して、各種案内や、選択操作に必要な画面を表示する。外部モニタ５２１は、表示された選択項目などを選択する、ユーザの指などによるタッチ操作を受け付ける。外部モニタ５２１は、いわゆるマルチタッチ操作を受け付け可能である。すなわち、外部モニタ５２１は、同時に１人以上の複数のユーザからの操作を受け付けることができる。外部モニタ５２１は、事前接客部５２０がどのユーザにも利用されていない場合は、利用開始を促すデモ画面などを表示する。
【００５２】
コイン投入部５２５は、硬貨投入口と、硬貨返却口とを有している。硬貨投入口は、プレイ開始時に必要な所定の硬貨（例えば４００円）の投入を受け付ける。硬貨返却口は、投入された硬貨が受け付け不可能であった場合に、それを返却する。
【００５３】
スピーカ５２７は、ユーザに対して、各種案内や、選択操作に必要な音声を出力する。事前接客部５２０が利用されていない場合は、スピーカ５２７は、利用開始を促すデモ音声（例えば「プレイを開始するのはここからだよ」）やバックグラウンドミュージックなどを出力する。
【００５４】
前部筐体５１０の撮影コーナー内となる部分には、正面照明装置（ドーム型照明装置５１１、上半身照明装置５１２ａ、膝上照明装置５１２、足元照明装置５１３、カメラまわりの照明装置５１４）と、カメラ（撮影部の一例）５１５と、操作モニタ５１７などが設けられている。
【００５５】
正面照明装置５１１〜５１４のそれぞれは、ストロボや蛍光灯などを備えている。ドーム型照明装置５１１はユーザの上半身及び背面に、上半身照明装置５１２ａはユーザの上半身に、膝上照明装置５１２はユーザの膝上辺り及び背面に、足元照明装置５１３はユーザの足元及び背面に、それぞれ光を照射する。カメラまわりの照明装置５１４は、ユーザの顔に対して光を照射する。なお、膝上照明装置５１２の側方の、撮影をする際に撮影に支障を来さない位置には、ユーザが手荷物を置くための荷物置き場（図示せず）が設けられている。
【００５６】
カメラ５１５は、ユーザの撮影を行う。撮影は、各種操作で選択された、撮影コースや、全身撮影及びアップ撮影の別などに応じて、ズーム及び撮影角度が調整された状態で行われる。
【００５７】
操作モニタ５１７は、例えば液晶タッチパネルである。操作モニタ５１７は、ユーザに対して、各種案内や選択操作に必要な画面などを表示する。操作モニタ５１７は、表示された選択項目などを選択する、ユーザの指などによるタッチ操作を受け付ける。操作モニタ５１７は、撮影コーナーがどのユーザにも利用されていない場合は、利用開始を促すデモ画面などを表示する。
【００５８】
なお、これらのほか、前部筐体５１０には、天井装置（図示せず）が設けられている。天井装置には、ユーザを上方から照らす照明装置や、ユーザに各種案内や選択操作に必要な音声を出力するスピーカなどが設けられている。スピーカは、撮影コーナーが利用されていない場合は、利用開始を促すデモ音声（例えば「撮影の準備が完了しました！」）やバックグラウンドミュージックなどを出力する。
【００５９】
図６は、写真シール作成装置１の背部筐体５４０を示す斜視図である。
【００６０】
図６に示されるように、背部筐体５４０は、大まかに平面視でコ字状の壁面を成すように形成されており、撮影コーナーの背面と両側方の一部とを覆う。背部筐体５４０には、背部照明装置５４１が設けられている。本実施の形態において、背部照明装置５４１としては、全身用照明装置（後方用上部照明装置）５４３と、アップ用照明装置（前方用照明装置）５４５と、全身用上部照明装置（前方及び後方用照明装置）５４７とが設けられている。
【００６１】
全身用照明装置５４３及び全身用上部照明装置５４７は、ストロボを備え、ユーザの全身に対して光を照射する。アップ用照明装置５４５は、ストロボとグリッドとを備え、主に、アップ撮影をするユーザの頭部付近、主に髪に光を照射する。
【００６２】
図７は、写真シール作成装置１の編集出力装置５７０を示す斜視図である。
【００６３】
図７に示されるように、編集出力装置５７０は、シール排出口５７５及び２つの編集受付部５８０（５８０ａ，５８０ｂ）のほか、照明部５７１を有している。
【００６４】
照明部５７１は、蛍光灯を有し、編集モニタ５８１の上部から照明を行う。
【００６５】
各編集受付部５８０において、編集モニタ５８１と、２つのタッチペン５８３と、非接触通信装置５８５と、スピーカ５８７とは、それぞれ、次のように構成されている。
【００６６】
編集モニタ５８１は、例えば、液晶タッチパネルである。編集モニタ５８１は、ユーザに対して、各種案内や落書き操作に必要な画面を表示する。編集モニタ５８１は、ユーザがタッチペン５８３を用いて行う、表示された選択項目の選択操作や落書き操作を受け付ける。タッチペン５８３は２つ設けられており、２人のユーザが同時に操作を行うことができる。編集モニタ５８１は、操作がいずれのタッチペン５８３を用いて行われたものであるか検知できる。タッチペン５８３は、不使用時には、タッチペン置き５８４に保持させることができる。
【００６７】
スピーカ５８７は、ユーザに対して、各種案内や、選択操作及び落書き操作について必要な音声を出力する。スピーカ５８７は、編集出力装置５７０が利用されていない場合は、使用開始を促すデモ音声（例えば「らくがきを開始してね」）やバックグラウンドミュージックなどを出力する。
【００６８】
非接触通信装置５８５は、例えばＮＦＣ（Ｎｅａｒ  Ｆｉｅｌｄ  Ｃｏｍｍｕｎｉｃａｔｉｏｎ）規格に基づいた通信（例えばＦｅｌｉＣａ（登録商標）を利用した通信など）を行うことができる。非接触通信装置５８５は、ユーザ自身の携帯端末７０１がかざされたとき、その携帯端末７０１に、ユーザのプレイによって作成された撮影画像や合成画像を得るための情報（例えば、サーバ６０１にアクセスするためのＵＲＬなど）を送信できる。これにより、ユーザは、携帯端末７０１を用いて撮影画像や合成画像を得るための場所にアクセスし、それらを取得できる。なお、非接触通信装置５８５に対して、携帯端末７０１から種々の情報を送信できるようにしてもよい。また、非接触通信装置５８５は、２人以上のユーザが同時に利用できるように２つ以上設けられていてもよい。非接触通信装置５８５の通信方式は上述のものに限らず、ユーザの端末に対して、撮影画像のデータや合成画像のデータ自体を送信できるようにしてもよい。
【００６９】
シール排出口５７５には、印刷が完了したシール紙が排出される。シールは、落書きが終わったユーザに対して提供される。シールには、撮影コーナーで撮影され、落書き受け付けで編集された合成画像が印刷されている。ユーザがシール排出口５７５に到着したときにシールの印刷が完了していない場合においては、ユーザは、シール排出口５７５に待機する。
【００７０】
なお、シール排出口５７５の近くには、そこで待機するユーザが見ることができるように表示パネルを設けてもよい。この場合、その表示パネルで、追加して提供される画像に関する操作などを受け付け可能に構成されていてもよい。表示パネルには、様々な広告や、ユーザに対する案内などを表示できる。表示パネルには、編集受付部５８０ａ側で編集を行ったユーザと編集受付部５８０ｂ側で編集を行ったユーザとのいずれのユーザ用の印刷が行われているかを表示するようにしてもよい。
【００７１】
また、図示しないが、シール排出口５７５の近くには、例えばＬＥＤ（発光ダイオード）などを光源とした発光表示部を配置してもよい。この場合、発光表示部を用いて、編集受付部５８０ａ側で編集を行ったユーザと編集受付部５８０ｂ側で編集を行ったユーザとのいずれのユーザ用の印刷が行われているかを表示するようにしてもよい。これにより、シール排出口５７５が１つしかないところ、２組のユーザ間で排出されたシールの取り違えなどの混乱が発生するのを防止できる。
【００７２】
図８は、写真シール作成装置１の制御に関する構成を説明するブロック図である。
【００７３】
写真シール作成装置１は、例えばＰＣ（パーソナルコンピュータ）のような、ＣＰＵ５０２、メモリ５０３、画像処理部５０４、記憶部５０５、及び通信部５０９などで構成された制御部（制御装置）５０１を有している。画像処理部５０４は、カメラ５１５により撮影された写真の情報に基づいて、その後の処理や出力時に用いられる画像を生成したり、編集受付部５８０で受け付けられた落書きに応じて画像を生成したりする。記憶部５０５は、例えばフラッシュメモリやＨＤＤであり、制御プログラム５０７を有している。制御部５０１は、ＣＰＵ５０２が制御プログラム５０７を実行することで、写真シール作成装置１の各部の動作を制御する。通信部５０９は、例えばＰＨＳ通信モジュールを有し、写真シール作成装置１をネットワーク８０１に接続できる。
【００７４】
制御部５０１は、事前接客部５２０について、外部モニタ５２１、スピーカ５２７、及びコイン制御部５２５ａなどを制御する。コイン制御部５２５ａは、コイン投入部５２５を制御し、コインの投入状況などを確認し、制御部５０１に通知する。
【００７５】
制御部５０１は、前部筐体５１０及び背部筐体５４０について、カメラ５１５、操作モニタ５１７、及びストロボ制御部５３０などを制御する。ストロボ制御部５３０は、正面照明装置５１１〜５１４と背部照明装置５４１とを制御し、適時に適切な態様で発光させる。
【００７６】
制御部５０１は、編集出力装置５７０について、編集モニタ５８１、非接触通信装置５８５、スピーカ５８７、及び印刷部５９０などを制御する。印刷部５９０は、シールの用紙に画像を形成（印刷）し、印刷後のシールをシール排出口５７５に搬送する。
【００７７】
なお、図８で示される構成は、概念的な構成を示すものである。例えば、撮影コーナー側（前部筐体５１０及び背部筐体５４０）にＰＣを設け、落書きコーナー側（編集出力装置５７０）にも別のＰＣを設け、これらが連携して動作することで、制御部５０１などの機能が実現されるようにしてもよい。
【００７８】
［写真シール作成装置１とサーバ６０１との連携動作の説明］
【００７９】
ここで、本実施の形態において、写真シール作成装置１とサーバ６０１とは、次のように連携し、プレイを行ったユーザに対して、プレイ時に撮影された写真を取得させることができる。
【００８０】
図９は、写真シール遊技システム９０１において情報が送受信される関係を示す図である。
【００８１】
図９を参照して、ステップＳ１０１において、ユーザは、プレイ時に、自身の電子メールアドレス（宛先情報の一例）を写真シール作成装置１に入力する。
【００８２】
ステップＳ１０２において、写真シール作成装置１は、サーバ６０１に対して、情報を送信する。このとき、例えば、プレイにおいて撮影された画像のうち、サーバ送信用画像の画像データと、その画像を示す識別情報（サーバ送信用画像ＩＤ）が送信される。また、これらに関連付けて、写真シール作成装置１を一意に特定可能な識別情報（筐体ＩＤ）と、ステップＳ１０１で入力されたメールアドレスと、地域属性（筐体設置地域情報；位置判別情報の一例）とが送信される。
【００８３】
ここで、地域属性は、プレイに先立って、写真シール作成装置１に設定されている位置情報である。写真シール作成装置１に設定されている地域属性は、例えば、写真シール作成装置１において、記憶部５０５に記憶されている。すなわち、ユーザは、ステップＳ１０１において、地域属性が記憶部５０５に記憶されている状態で、メールアドレスの入力を行う。地域属性の設定については、後述する。
【００８４】
サーバ６０１は、写真シール作成装置１により送信された画像データに基づいて、ユーザの携帯端末７０１に適した画像データ（携帯端末機用画像）を生成する。そして、生成した画像データを、その画像データに対応するユーザに取得させるために、閲覧可能に保持する。例えば、ユーザがウェブブラウザを用いてアクセスすることで画像データを取得することができるように、記憶部６０５に記憶させる。
【００８５】
ステップＳ１０３において、サーバ６０１は、受信したメールアドレスを用いて、画像データをユーザに取得させるための取得情報をユーザに通知する。本実施の形態では、例えば、ユーザがアクセスすべきＵＲＬ（統一資源位置子）である保存先ＵＲＬ（取得情報の一例）を、電子メールによって、ユーザに対応するメールアドレスに送信する。ユーザは、例えば携帯端末７０１でその電子メールを受信できる。
【００８６】
ステップＳ１０４において、ユーザは、送信された情報に基づいて、携帯端末７０１等を用いて、サーバ６０１にアクセスする。サーバ６０１は、携帯端末７０１に対して応答し、生成した画像データ（携帯端末機用画像）を携帯端末７０１に送信する。これにより、ユーザは、画像データを取得できる。
【００８７】
ところで、本実施の形態において、サーバ６０１は、写真シール作成装置１から情報が送信されたとき、地域属性とメールアドレスとを関連付けて宛先データベース６２１に記録する。そして、このように地域属性と関連付けて記録された複数のメールアドレスを宛先データベース６２１で管理する。宛先データベース６２１は、例えば、種々の態様でメールマガジンを発行するために用いることができる。
【００８８】
図１０は、ユーザのプレイ時における写真シール作成装置１とサーバ６０１との動作を示すシーケンス図である。
【００８９】
まず、ユーザからプレイを実行するためにコインが投入されると、プレイが開始される。図１０に示されるように、ステップＳ１１１において、写真シール作成装置１は、撮影及び編集を行う。すなわち、図４において説明した、外部モニタ受付（Ｓ１）、撮影（Ｓ２）、及び落書き受付（Ｓ３）が行われる。ユーザは、編集段階において、落書き編集入力を行うことができる。
【００９０】
編集が終了すると、ユーザは、携帯端末７０１などで取得したい画像を選択する操作を行う。また、画像を取得するための情報を受信するためのメールアドレスを入力する操作を行う。
【００９１】
ステップＳ１１２において、写真シール作成装置１は、記憶部５０５に記憶されている地域属性と、撮影した写真に基づく送信用画像データと、メールアドレスとを互いに関連付けて、サーバ６０１に送信する。
【００９２】
ステップＳ１１３において、写真シール作成装置１では、印刷が行われる。印刷が終了すると、シール排出口５７５から、印刷が完了したシート（シール紙）が排出される。
【００９３】
ステップＳ１１４において、ユーザは、シール排出口５７５に排出されたシートを取得する。
【００９４】
一方、写真シール作成装置１からサーバ６０１にデータが送信されると、ステップＳ１１５において、サーバ６０１は、送信された情報を受信する。
【００９５】
ステップＳ１１６において、サーバ６０１では、受信した情報を用いて、データベース記録処理が行われる。データベース記録処理の詳細については、後述する。
【００９６】
サーバ６０１は、受信した送信用画像データに基づいて携帯端末機用の画像データ（取得用画像データ）を生成し、その画像データをユーザに取得させるための取得ページを通じて閲覧可能に保持する。取得ページは、例えばサーバ６０１のウェブサーバ機能によって外部から取得可能となるように、保持される。このとき、取得ページにアクセスするための取得用ＵＲＬ（取得情報の一例）が生成される。Ｓ１１７において、サーバ６０１は、取得用ＵＲＬ（取得ページアドレス）をユーザに送信する。このとき、例えば、写真シール作成装置１から送信されたメールアドレスを用いて、電子メールにより、ユーザの携帯端末７０１などに情報が送信される。
【００９７】
ステップＳ１１８において、ユーザの携帯端末７０１は、取得ＵＲＬを受信する。
【００９８】
ステップＳ１１９において、ユーザは、携帯端末７０１を操作し、携帯端末７０１で動作するウェブブラウザなどを用いて、取得ＵＲＬにアクセスする。
【００９９】
ステップＳ１２０において、サーバ６０１は、取得ページのデータを携帯端末７０１に送信する。このとき、取得ページの表示時に閲覧される画像の携帯端末機用画像データも、携帯端末７０１に送信される。
【０１００】
ステップＳ１２１において、携帯端末７０１は、取得した取得ページや画像のデータに基づいて、画像を含む取得ページを表示する。これにより、ユーザは、携帯端末機用の画像を、サーバ６０１から取得することができる。
【０１０１】
［管理されるデータベース６２１，６２３の説明］
【０１０２】
図１１は、宛先データベース６２１の一例を示す図である。
【０１０３】
図１１に示されるように、宛先データベース６２１は、写真シール遊技システム９０１を利用したユーザのメールアドレスと地域属性とを関連付けて記録したものである。ユーザからサーバ６０１に送信用画像データが送信されるとき、メールアドレスと地域属性とが関連付けられたうえでサーバ６０１に送信されると、そのメールアドレスと地域属性とが互いに関連付けられて宛先データベース６２１にレコードとして記録される。
【０１０４】
図１１には、例えば、４つのメールアドレスが記録されている状態が示されている。ここで、「ＮＯ．１」のメールアドレス「ａａａ＠ｍａｋｅｓｏｆｔ．ｎｅ．ｊｐ」の地域属性には、「東京都」が関連付けられている。「ＮＯ．２」のメールアドレス「ｂｂｂ＠ｍａｋｅｓｏｆｔ．ｎｅ．ｊｐ」の地域属性には、「大阪府」が関連付けられている。「ＮＯ．４」のメールアドレス「ｄｄｄ＠ｍａｋｅｓｏｆｔ．ｎｅ．ｊｐ」の地域属性には、「兵庫県」が関連付けられている。「ＮＯ．３」のメールアドレス「ｃｃｃ＠ｍａｋｅｓｏｆｔ．ｎｅ．ｊｐ」の地域属性には、「ＮＵＬＬ」が関連付けられている。すなわち、「ＮＯ．３」のメールアドレス「ｃｃｃ＠ｍａｋｅｓｏｆｔ．ｎｅ．ｊｐ」には、関連付けられている地域属性が存在しない。
【０１０５】
このように、本実施の形態においては、例えば、写真シール作成装置１の位置を示す情報のうち、その都道府県レベルの情報が地域属性として取り扱われる。なお、地域属性の情報はこのようなレベルのものに限られるものではなく、地方レベル（例えば、関東、関西、中国、など）の情報であってもよいし、市町村区レベルの情報であってもよい。
【０１０６】
装置管理データベース６２３は、写真シール遊技システム９０１において用いられている写真シール作成装置１の製造番号と、その写真シール作成装置１についての情報（例えば、地域属性又は設置されている位置の住所や、設置されている店舗名など）とを関連付けて記録したものである。製造番号は、写真シール作成装置１に固有のものであり、写真シール作成装置１を一意に特定できる識別情報である。写真シール遊技システム９０１の管理者は、装置管理データベース６２３を参照することで、個々の写真シール作成装置１についての設置場所などを把握し、メンテナンス作業などを行うことができる。
【０１０７】
［宛先データベース６２１の利用例の説明］
【０１０８】
写真シール遊技システム９０１では、このように宛先データベース６２１の管理が行われていることにより、次のようなメールマガジン配信処理を行うことができる。すなわち、宛先データベース６２１により管理されているすべてのメールアドレスのうち、特定の地域属性に関連付けられているメールアドレス（特定の地域属性のメールアドレス）に対してのみ、メールマガジンを配信できる。
【０１０９】
メールマガジン配信処理は、例えば、サーバ６０１で所定の制御プログラムを実行させることにより、ユーザ（サーバ６０１のオペレータ）の指示に応じて、行うことができる。
【０１１０】
図１２は、メールマガジン配信処理の流れの一例を示すフローチャートである。
【０１１１】
図１２を参照して、ステップＳ２０１において、配信者（メールマガジン配信管理者）の所定の操作により配信対象となる地域が特定される。配信対象となる地域が特定されると、以降サーバ６０１は、特定された配信地域テーブルＨ（ｎ）を参照する。
【０１１２】
図１３は、メールマガジン配信処理において用いられる配信地域テーブルの一例及び配信リストの一例を示す図である。
【０１１３】
例えば京阪神（大阪府、兵庫県、京都府）が配信地域として特定されると、図１３（Ａ）に示されているような配信地域テーブルが用いられる。この配信地域テーブルにおいては、Ｈ（１）〜Ｈ（３）まで、配信地域に対応する地域属性が個別に対応付けられている。また、Ｈ（０）として、地域属性の数である「３」が対応付けられている。
【０１１４】
図１２に戻って、ステップＳ２０２において、変数ｎが「１」にセットされる。
【０１１５】
ステップＳ２０３から、配信地域テーブルを用いて、宛先データベース６２１の検索及びメールアドレスの抽出が、地域属性毎に行われる。すなわち、ステップＳ２０３において、メールアドレスを検索する対象となる地域として、配信地域テーブルでｎ番目となる地域属性がセットされる。例えば、図１３（Ａ）に示される例において、変数ｎが「１」であるとき、地域として「大阪府」がセットされる。
【０１１６】
ステップＳ２０４において、宛先データベース６２１に、該当する地域属性のレコードがあるか、検索が行われる。検索の結果レコードがヒットしたときには、配信リストに、そのレコードを記録する。
【０１１７】
ステップＳ２０５において、変数ｎの値を１だけインクリメントする。
【０１１８】
ステップＳ２０６において、変数ｎの値が、配信地域テーブルのＨ（０）に対応する値よりも大きいかどうか判断する。そして、変数ｎの値がＨ（０）に対応する値より大きくなるまで、ステップＳ２０２〜Ｓ２０４の処理を繰り返し行う。すなわち、図１３（Ａ）に示される例においては、ステップＳ２０５の結果、変数ｎが「４」になるまで、「兵庫県」、「京都府」のそれぞれについて宛先データベース６２１の検索を行い、ヒットしたレコードを配信リストに追加する。
【０１１９】
例えば宛先データベース６２１が図１１に示される状態であるときにこのように処理が行われると、図１３（Ｂ）に示されるように配信リストが生成される。すなわち、変数ｎが「１」のときに、地域属性「大阪府」に対応するメールアドレス「ｂｂｂ＠ｍａｋｅｓｏｆｔ．ｎｅ．ｊｐ」についてのレコードがヒットするため、これが配信リストの１件目に記録される。また、変数ｎが「２」のときに、地域属性「兵庫県」に対応するメールアドレス「ｄｄｄ＠ｍａｋｅｓｏｆｔ．ｎｅ．ｊｐ」についてのレコードがヒットするため、これが配信リストの２件目に追加記録される。ここで、宛先データベース６２１には地域属性「京都府」に対応するレコードが存在しないため、変数ｎが「３」のときはヒットするレコードがなく、配信リストには何も記録されない。
【０１２０】
図１２に戻って、ステップＳ２０７において、作成された配信リストに基づいて、メールマガジンの配信が行われる。すなわち、図１３（Ｂ）に示されているように配信リストが生成された場合、この２件のメールアドレス「ｂｂｂ＠ｍａｋｅｓｏｆｔ．ｎｅ．ｊｐ」及び「ｄｄｄ＠ｍａｋｅｓｏｆｔ．ｎｅ．ｊｐ」あてに、メールマガジンが電子メールにより送信される。
【０１２１】
このようにメールマガジン配信処理が行われることにより、宛先データベース６２１のうち、配信対象として指定された地域に対応するメールドレスに対してのみ、メールマガジンの配信を行うことができる。したがって、宛先データベース６２１が図１１に示される状態であって、配信地域テーブルが図１３（Ａ）に示されているものであるとき、配信対象となる地域外となるメールアドレス「ａａａ＠ｍａｋｅｓｏｆｔ．ｎｅ．ｊｐ」及び「ｃｃｃ＠ｍａｋｅｓｏｆｔ．ｎｅ．ｊｐ」については、配信先から省くことができる。
【０１２２】
なお、対応する地域属性がない（地域属性「ＮＵＬＬ」の）メールアドレスについてのレコードを配信リストに含め、メールマガジンの配信対象となるようにしてもよい。図１１のＮＯ．１のように、京阪神が配信地域として特定された場合における「東京都」のレコードなど、明らかに配信地域外となるレコードを排除できればよい。
【０１２３】
図１４は、メールマガジンの配信例を示す図である。
【０１２４】
図１４においては、配信対象となった携帯端末７０１で、受信したメールマガジンが表示された例が示されている。この例は、大阪において開催予定のイベントについて案内する内容のメールマガジンを、地域属性として関西地域に属するものが対応付けられているメールアドレスに対して送信する場合のものである。上述のように宛先データベース６２１を用いることで、地域属性を鑑みて、宛先として適したメールアドレスを抽出し、送信内容と関連性が高いと思われるユーザのメールアドレスあてに、メールマガジンを配信できる。したがって、メールマガジンの配信の効果をより高めることができる。また、ユーザ自身も、より関連性が高い内容のメールマガジンの配信を受けることができる（関連性が低い内容のメールマガジンを受信することがなくなる）ため、ユーザの満足度を向上させることができる。
【０１２５】
［データベース記録処理の説明］
【０１２６】
ここで、本実施の形態において、データベース記録処理は、次のようにして行われる。
【０１２７】
図１５は、データベース記録処理の一例を示すフローチャートである。
【０１２８】
図１５に示されるように、データベース記録処理が開始されると、ステップＳ３０１において、サーバ６０１は、記録対象となる情報のうち、メールアドレスについて、既に宛先データベース６２１に記録があるか否かを判断する。
【０１２９】
ステップＳ３０１において記録がなければ、ステップＳ３０２において、サーバ６０１は、記録対象となる情報を新規のレコードとして宛先データベース６２１に記録する。これにより、メールアドレス及び地域属性が関連付けられて、宛先データベース６２１に記録される。
【０１３０】
他方、ステップＳ３０１において記録があれば、ステップＳ３０３において、既に記録されているレコードについて、その地域属性の更新記録を行う。すなわち、それまで記録されていた地域属性を、今回写真シール作成装置１から受信した地域属性に置き換える。これにより、そのメールアドレスについて、地域属性が、最新の状況を反映したものになる。
【０１３１】
図１６は、データベース記録処理が行われるときの宛先データベース６２１について説明する図である。
【０１３２】
図１６を参照して、図のＴ１１で示されるように、宛先データベース６２１において、メールアドレス「ａａａ＠ｍａｋｅｓｏｆｔ．ｎｅ．ｊｐ」、地域属性「大阪府」のレコードが管理されている場合を想定する。
【０１３３】
このとき、写真シール作成装置１より「ｂｂｂ＠ｍａｋｅｓｏｆｔ．ｎｅ．ｊｐ」、地域属性なし（「ＮＵＬＬ」）が送信された場合を想定する。サーバ６０１は、これを受信すると、データベース記録処理を実行する。その結果、宛先データベース６２１は、図のＴ１２で示されるようになる。すなわち、メールアドレスはそれまで記録されていないものであるので、受信した情報についてレコードが新規記録される。
【０１３４】
次に、写真シール作成装置１により「ａａａ＠ｍａｋｅｓｏｆｔ．ｎｅ．ｊｐ」、地域属性「東京都」が送信されると、サーバ６０１は、これを受信し、データベース記録処理を実行する。その結果、宛先データベース６２１は、図のＴ１３で示されるようになる。すなわち、メールアドレス「ａａａ＠ｍａｋｅｓｏｆｔ．ｎｅ．ｊｐ」についてのレコードは、図のＴ１２で既に存在するので、そのレコードについて、今回送信された地域属性を用いて、更新記録が行われる。更新記録が行われると、地域属性がそれまでの「大阪府」から「東京都」に変更される。
【０１３５】
写真シール作成装置１により「ｂｂｂ＠ｍａｋｅｓｏｆｔ．ｎｅ．ｊｐ」、地域属性「大阪府」が送信されると、サーバ６０１は、これを受信し、データベース記録処理を実行する。その結果、宛先データベース６２１は、図のＴ１４で示されるようになる。すなわち、メールアドレス「ｂｂｂ＠ｍａｋｅｓｏｆｔ．ｎｅ．ｊｐ」についてのレコードは、図のＴ１３で既に存在するので、そのレコードについて、今回送信された地域属性を用いて、更新記録が行われる。更新記録が行われると、地域属性がそれまでの「ＮＵＬＬ」から「大阪府」に変更される。
【０１３６】
このようにデータベース記録処理が行われることにより、宛先データベース６２１が適正に記録され、各レコードを管理できるようになる。既にメールアドレスが記録されている場合には、その地域属性が新たな情報を用いて更新記録される。したがって、宛先データベース６２１において、メールアドレスを有するユーザが最近行動していた地域を指す地域属性を記録することができる。
【０１３７】
［データベース記録処理の変形例］
【０１３８】
ここで、データベース記録処理においては、次のように、受信履歴データベース（受信履歴情報の一例，図示せず）を用いて、宛先データベース６２１へのレコードの記録が行われるようにしてもよい。
【０１３９】
図１７は、データベース記録処理の別の例を示すフローチャートである。
【０１４０】
図１７に示されるように、データベース記録処理がスタートすると、ステップＳ３３１において、サーバ６０１は、受信した情報のうち、メールアドレスと地域属性とを、新たなレコードとして受信履歴データベースに記録する。受信履歴データベースは、例えば、各写真シール作成装置１からの情報の受信ログである。
【０１４１】
ステップＳ３３２、Ｓ３３３の処理は、図１５におけるステップＳ３０１，Ｓ３０２の処理と同じである。すなわち、宛先データベース６２１に今回受信したメールアドレスについてのレコードがなければ、宛先データベース６２１に、新規に記録を行う。
【０１４２】
ステップＳ３３１において記録があれば、ステップＳ３３４において、サーバ６０１は、受信履歴データベースを参照し、そのメールアドレスについて設定すべき地域属性を判別する。判別は、所定のルールに従って行われるようにすればよい。ルールとしては、例えば、そのメールアドレスについてのレコードのうち直近の所定範囲（例えば、新しい方から１０レコードの範囲、又は過去６か月以内のレコードの範囲）のものを対象に見て、最も記録回数が多い地域属性を、設定すべき地域属性と判別するなど、定めることができる。
【０１４３】
ステップＳ３３５において、サーバ６０１は、判別した地域属性を、そのメールアドレスに対応する地域属性として、宛先データベース６２１の更新記録を行う。
【０１４４】
以上のような処理を行うことにより、例えば、ユーザが旅行などで自身の生活圏から出て、その外出先の地域の写真シール作成装置１を利用した場合などであっても、宛先データベース６２１において地域属性が更新されることを防止できる。したがって、宛先データベース６２１を、より確からしい状態に維持することができる。
【０１４５】
なお、写真シール作成装置１からサーバ６０１には、地域属性が送信されなくてもよい。以下に、写真シール作成装置１からサーバ６０１に、位置判別情報として識別情報を送信し、地域属性を送信しない場合について、説明する。
【０１４６】
すなわち、写真シール作成装置１からサーバ６０１には、サーバ送信用の画像データ及びメールアドレスに関連付けて、装置の製造番号（筐体ＩＤ）が送信される。宛先データベース６２１には、このメールアドレスと製造番号とが記録される。
【０１４７】
このようにして宛先データベース６２１が管理されている場合、サーバ６０１は、装置管理データベース６２３を参照して、製造番号をキーとして、各メールアドレスに対応する地域属性を取得できる。すなわち、この場合、写真シール作成装置１の製造番号を、写真シール作成装置１の位置を判別するための位置判別情報として用いることができる。このようにして取得できた地域属性は、メールアドレスと関連付けて、宛先データベース６２１に追加して記録するようにしてもよい。また、写真シール作成装置１からの情報を受信した時点で、装置管理データベース６２３に基づいて、受信した情報についての地域属性を判別し、メールアドレスと地域属性とを関連付けて宛先データベース６２１に記録するようにしてもよい。
【０１４８】
図１８は、写真シール作成装置１の製造番号を位置判別情報として用いる場合の装置管理データベース６２３と宛先データベース６２１の一例を示す図である。
【０１４９】
図１８（Ａ）に示される装置管理データベース６２３は、３台の写真シール作成装置１についての設置地域を管理している状態のものである。すなわち、製造番号「ＡＡ００１」の装置は、「大阪府」に設置されている。製造番号「ＡＡ００３」の装置は、「東京都」に設置されている。製造番号「ＡＡ００２」の装置は、設置されている地域が不明（「ＮＵＬＬ」）である。
【０１５０】
このような装置管理データベース６２３がサーバ６０１に記録されている場合であって、メールアドレスと製造番号とを関連付けた宛先データベース６２１が図１８（Ｂ）のような状態であるときを想定する。このとき、宛先データベース６２１の各メールアドレスについての地域属性としては、そのメールアドレスに対応する製造番号と同一の製造番号を装置管理データベース６２３から見つけることにより、判別することができる。すなわち、例えば、メールアドレス「ａａａ＠ｍａｋｅｓｏｆｔ．ｎｅ．ｊｐ」、「ｄｄｄ＠ｍａｋｅｓｏｆｔ．ｎｅ．ｊｐ」については、共に製造番号「ＡＡ００３」が対応する。装置管理データベース６２３を見ると、製造番号「ＡＡ００３」には、「東京都」が対応することがわかる。したがって、これらのメールアドレスについて、地域属性は「東京都」であると判別できる。同様に、メールアドレス「ｂｂｂ＠ｍａｋｅｓｏｆｔ．ｎｅ．ｊｐ」については地域属性が「大阪府」であると判別できる。メールアドレス「ｄｄｄ＠ｍａｋｅｓｏｆｔ．ｎｅ．ｊｐ」については、装置管理データベース６２３を参照しても地域属性が判別不能であることがわかる。
【０１５１】
このように写真シール作成装置１の製造番号を位置判別情報として用いる場合であっても、宛先データベース６２１を用いて、上述と同様に、配信地域テーブルに従って、メールアドレスの抽出を行うことができる。
【０１５２】
図１９は、データベース記録処理のさらに別の例を示すフローチャートである。
【０１５３】
なお、上述の図１８（Ａ）のような装置管理データベース６２３が管理されている場合において、写真シール作成装置１からサーバ６０１に送信される情報に地域属性が含まれていない場合にのみ、装置管理データベース６２３を用いて地域属性を判別するようにしてもよい。
【０１５４】
すなわち、図１９に示されるように、ステップＳ３５１において、サーバ６０１は、写真シール作成装置１から受信した情報において、地域属性が「ＮＵＬＬ」であるか否かを判別する。
【０１５５】
ステップＳ３５１で「ＮＵＬＬ」であれば、ステップＳ３５２において、サーバ６０１は、装置管理データベース６２３に、受信した製造番号に対応するレコードがあるか否かを判断する。
【０１５６】
ステップＳ３５２でレコードがあれば、ステップＳ３５３において、サーバ６０１は、装置管理データベース６２３で製造番号に関連付けられている地域属性を、受信したデータについての地域属性として取得する。すなわち、受信したメールアドレスに関連付いた地域属性として、装置管理データベース６２３を参照して得られた地域属性が設定される。
【０１５７】
ステップＳ３５４〜Ｓ３５６の処理は、図１５のステップＳ３０１〜Ｓ３０３の処理と同様であるので、ここでの説明を省略する。
【０１５８】
このように、装置管理データベース６２３を用いることにより、写真シール作成装置１自体に地域属性が設定されておらず、サーバ６０１に送信されるデータに地域属性が含まれていなくても、メールアドレスと地域属性とを関連付けて宛先データベース６２１に記録することができる。
【０１５９】
［写真シール作成装置１の動作と地域属性の設定とに関する説明］
【０１６０】
図２０は、写真シール作成装置１の基本的動作の一例を示すフローチャートである。
【０１６１】
図２０に示されるように、写真シール作成装置１が起動されると、ステップＳ４０１において、起動時処理が行われる。ここでは、各種制御プログラム５０７の読み込み、実行や、必要に応じて、サーバ６０１との通信処理などが行われる。
【０１６２】
ステップＳ４０２において、制御部５０１は、デモ画面を外部モニタ５２１やその他のモニタなどに表示させる。
【０１６３】
ここで、現在設定されている地域属性について、デモ画面の一部などに表示させるようにしてもよい。写真シール作成装置１の管理者（店舗などにおいて維持作業をする者など）や、ユーザ（プレイヤ）が、写真シール作成装置１の設置位置としてどのような内容のものが設定されているかどうか、容易に確認できる。もし誤った情報が記録されているときには、それに速やかに気付くことができる。
【０１６４】
ステップＳ４０３において、制御部５０１は、テストモードに入るかどうかを確認する。例えば、管理者にしかアクセスできない位置に配置されている所定のスイッチなどが操作されたとき、制御部５０１は、テストモードに入ると判断する。
【０１６５】
また、ステップＳ４０４において、制御部５０１は、プレイを行うための対価を受け付けたか否かを確認する。
【０１６６】
対価が受け付けられるか、テストモードに入ると確認されるまでは、制御部５０１は、デモ画面を表示しながら待機する。
【０１６７】
ステップＳ４０３でテストモードに入ると判断された場合には、ステップＳ４０６において、テストモードが実行される。テストモードについては後述する。テストモードが終了すると、再び、デモ画面の表示に戻る（Ｓ４０２）。
【０１６８】
ステップＳ４０４でコイン投入部５２５に規定枚数の硬貨が投入されて対価が受け付けられたと判断されたとき、ステップＳ４０５において、プレイが実行される。プレイは、次に示すようにして行われる。
【０１６９】
図２１は、プレイ時に行われる処理を説明するフローチャートである。
【０１７０】
図２１に示されているように、プレイが開始されると、ステップＳ４１１において、撮影、編集、印刷が行われる。これらの処理については、上述と同様であるため、ここでの説明は省略する。
【０１７１】
ステップＳ４１２において、制御部５０１は、取得画像の選択を受け付ける。ユーザは、例えば、編集モニタ５８１等に表示された、撮影された写真に基づく画像を見ながら、携帯端末７０１などで取得したいと考える画像を選択する。
【０１７２】
ステップＳ４１３において、制御部５０１は、メールアドレス入力を受け付ける。
【０１７３】
ステップＳ４１４において、制御部５０１は、各種情報を互いに関連付けて、サーバ６０１に送信する。ここで、写真シール作成装置１の製造番号と、地域属性と、メールアドレスとが送信される情報に含まれる。なお、地域属性としては、都道府県名のみにかかわらず、例えば、郵便番号と都道府県名とが共に送信されてもよいし、都道府県名に代えて郵便番号が送信されるようにしてもよい。
【０１７４】
ステップＳ４１５において、印刷が終了すると、シートが排出される。これにより、プレイの一連の処理が終了する。
【０１７５】
ここで、本実施の形態において、写真シール作成装置１への地域属性の登録は、例えば、テストモードにおいて行われる。
【０１７６】
図２２は、テストモードの処理を示すフローチャートである。
【０１７７】
テストモードが開始されると、例えば、デモ画面が表示されていた外部モニタ５２１などに、テストモード画面が表示される。管理者は、テストモード画面を操作することで、写真シール作成装置１の設定操作や、動作確認作業などを行うことができる。
【０１７８】
図２２に示されるように、テストモードが開始されると、ステップＳ４５１において、制御部５０１は、テストモードを終了する指示がなされたか否かを判断する。終了する指示がなされるか、後述の地域属性登録処理が行われるまで、テストモードが継続して行われる。
【０１７９】
ステップＳ４５２において、制御部５０１は、地域属性登録処理を行う旨の指示があったか否かを検知する。
【０１８０】
ステップＳ４５２において指示があれば、ステップＳ４５３において、地域属性登録処理が実行される。
【０１８１】
図２３は、地域属性登録処理の一例を示すフローチャートである。
【０１８２】
図２３に示されるように、地域属性登録処理が開始されると、ステップＳ５１１において、制御部５０１は、住所入力モードに入る。住所入力モードでは、外部モニタ５２１などに、住所入力画面表示が行われる。
【０１８３】
ステップＳ５１２において、管理者により、住所入力画面を通じて、住所入力が行われるのが受け付けられる。このとき、例えば、都道府県名が入力される。
【０１８４】
ステップＳ５１３において、制御部５０１は、受付が完了したか否かを確認する。完了したときには、次のステップＳ５１４に進む。
【０１８５】
ステップＳ５１４において、制御部５０１は、入力された住所に基づいて、それに対応する郵便番号を決定する。これは、例えば、予め設定されている郵便番号辞書などを参照して行われる。
【０１８６】
ステップＳ５１５において、制御部５０１は、住所と郵便番号とを、写真シール作成装置１の地域属性として登録する。地域属性は、例えば、写真シール作成装置１の記憶部５０５やメモリ５０３などに記録される。既に地域属性が登録されている場合において、このような地域属性登録処理が行われたときには、このとき入力された住所と郵便番号とを、更新登録するようにすればよい。
【０１８７】
図２４は、地域属性登録処理の実行時の表示画面例を示す図である。
【０１８８】
テストモードの動作が開始されると、ステップＳ５２１において、テストモードのメニュー画面が表示される。管理者は、メニュー画面に表示されている機能のいずれかを選択操作することで、その機能を実行させることができる。ここでは、「店名プリント設定」が管理者により選択された場合を想定する。「店名プリント設定」は、写真シール作成装置１が設置されている場所の住所と、設置されている店名とを入力するためのモードであり、住所入力モードの一例である。
【０１８９】
ステップＳ５２２において、シールにプリントする文字の設定画面が表示される。図２４に示されている例では、プリントされる文字は設定されていないことが示されている。管理者は、入力操作を行う旨の指示をこの設定画面で行うことにより、以降の店名プリント入力を行うことができる。
【０１９０】
ステップＳ５２３において、住所入力画面が表示される。ここでは、都道府県レベル、市町村レベルで、設置場所の住所に対応するものを選択できるように、画面が表示されている。ユーザは、適切なものをタッチすることで、容易に住所入力を行うことができる。
【０１９１】
ステップＳ５２４において、店名設定画面が表示される。ここでは、店名を入力するためのキーボードが画面に表示される。管理者は、キーボードを押下しながら、店名など、シールにプリントする文字を入力できる。なお、キーボードとしては、ひらがな、カタカナ、英数字を切り替えながら用いることができるようになっている。また、変換ボタンを押下することにより、そのとき入力された文字を漢字に変換することができるようになっている。
【０１９２】
このようにして入力された住所のうち、例えば都道府県レベルの情報までが地域属性として用いられる。管理者は、比較的に容易に、地域属性の入力を行うことができる。
【０１９３】
なお、住所入力画面には、例えば、より画像的なＧＵＩ（Ｇｒａｐｈｉｃａｌ  Ｕｓｅｒ  Ｉｎｔｅｒｆａｃｅ）を用いて行われるようにしてもよい。
【０１９４】
図２５は、地域属性登録処理の別の例を示すフローチャートである。
【０１９５】
図２５に示されるように、地域属性登録処理が開始されると、ステップＳ５３１において、地域選択モードに入る。地域選択モードでは、例えば外部モニタ５２１に地域選択受付画面が表示される。
【０１９６】
ステップＳ５３２において、制御部５０１は、選択操作を管理者から受け付ける。
【０１９７】
ステップＳ５３３において、制御部５０１は、管理者による操作の受付が完了したか否かを判断する。
【０１９８】
ステップＳ５３３において受付が完了されていれば、ステップＳ５３４の処理が行われる。すなわち、制御部５０１は、地域属性登録を行う。なお、既に地域属性が登録されているときには、地域属性登録を更新する。これにより、地域属性登録処理が終了する。
【０１９９】
図２６は、地域属性登録処理が行われる際に表示されて用いられる地域選択受付画面を示す図である。
【０２００】
図２６に示されるように、地域選択受付画面が表示されると、まず上段の画面Ｇ１１が表示される。画面Ｇ１１には、日本の地図と、現在地の地域を選択する操作を行うべき旨を管理者に促す表示とが含まれている。画面Ｇ１１が表示されている状態で、管理者は、地図上の設定すべき地域を選択するタッチ操作を行う。そうすると、選択された地域に印が付された画面Ｇ１２が表示される。画面Ｇ１２には、現在地が、印が付けられている位置でよいかどうか管理者に確認を促す表示と、表示された通りでよい場合に管理者に押下されるＯＫボタンとが表示されている。
【０２０１】
一般に、管理者が、写真シール作成装置１が設置されている住所や、郵便番号等を知っているとは限らない。また、管理者にとって入力画面などで入力操作を行うことが面倒に感じられる場合があり、入力画面で初期表示される項目のままで入力操作が行われる可能性もある。これに対して、このように、画像的に表示される地域選択受付画面を用いることで、管理者は、直感的に、地域選択を行うことができるようになる。管理者は容易に地域設定を行うことができ、管理者の負担が軽減される。したがって、管理者に地域属性登録を行ってもらいやすくなり、写真シール遊技システム９０１において用いられる写真シール作成装置１のうち、適切に地域属性が登録されているものの割合を向上させることができる。
【０２０２】
また、管理者によりタッチされた地域に印が付されるので、設定しようとする地域を直感的に、容易に確認することができる。したがって、管理者の操作が正しいかどうか、管理者自身が容易に確認することができる。
【０２０３】
ここで、地域属性登録処理は、起動時処理において行われるようにしてもよい。
【０２０４】
図２７は、起動時処理の一例を示すフローチャートである。
【０２０５】
図２７に示されるように、起動時処理が開始されると、ステップＳ６１１において、制御部５０１は、地域属性が登録済みであるか否かを判断する。
【０２０６】
ステップＳ６１１において登録済みでなければ、ステップＳ６１２において、制御部５０１は、地域属性登録処理を実行する。これにより、写真シール作成装置１が機能するまでの間に、速やかに、地域属性を登録しておくことができる。
【０２０７】
なお、起動時処理が行われているときには、確認画面を表示して、設定されている地域属性を管理者に確認させるとともに、地域属性の更新希望を管理者から受け付けるようにしてもよい。
【０２０８】
図２８は、起動時処理の別の例を示すフローチャートである。
【０２０９】
図２８に示されるように、起動時処理が開始されると、ステップＳ６３１において、制御部５０１は、地域属性が登録済みであるか否かを判断する。
【０２１０】
ステップＳ６３１において登録済みでなければ、ステップＳ６３２において、地域属性登録処理を実行する。
【０２１１】
ステップＳ６３１において登録済みであれば、ステップＳ６３３において、制御部５０１は、地域属性確認画面を外部モニタ５２１などに表示させる。管理者は、当該表示を見て、設定されている内容を確認できる。
【０２１２】
ステップＳ６３４において、制御部５０１は、地域属性の更新希望が管理者にあるか否かを確認する。なければ、起動時処理を終了する。更新希望があれば、ステップＳ６３２に進み、地域属性登録処理が実行される。なお、所定の時間内に選択操作されない場合は、制御部５０１は、更新希望がないものとみなし、起動時処理を終了させる。
【０２１３】
このように、管理者に現在の登録内容を確認させ、更新希望がないかどうか指示を受け付けるので、例えば写真シール作成装置１の設置場所が変更されたことにより、登録内容が実際の位置とは異なる結果となっていても、その事態に容易に気付くことができる。したがって、写真シール作成装置１の地域属性を適切なものに更新しやすくなる。
【０２１４】
ここで、地域属性は、例えば次のように、外部機器と通信を行うことにより設定されるようにしてもよい。
【０２１５】
図２９は、起動時処理のさらに別の例を示すフローチャートである。
【０２１６】
図２９に示されるように、起動時処理が開始されると、ステップＳ６５１において、制御部５０１は、外部サーバ（図示せず）にアクセスする。なお、外部サーバは、サーバ６０１とは別のものであってもよいし、サーバ６０１であってもよい。
【０２１７】
ステップＳ６５２において、制御部５０１は、地域属性更新情報が外部サーバにより提供されているか否かを確認する。地域属性更新情報は、例えば、写真シール作成装置１について登録するべき地域属性を示す情報である。地域属性更新情報がなければ、起動時処理を終了する。
【０２１８】
ステップＳ６５２において地域属性更新情報があれば、ステップＳ６５３において、制御部５０１は、それを外部サーバからダウンロードする。
【０２１９】
ステップＳ６５４において、制御部５０１は、ダウンロードした地域属性更新情報を用いて、地域属性を更新する。
【０２２０】
このように、外部サーバから情報を提供して、写真シール作成装置１の地域属性を設定できるようにすることにより、設置場所において管理者が直接に写真シール作成装置１を操作する必要がなくなる。したがって、その写真シール作成装置１の位置がわかっている場合には、容易に、かつ適切に、地域属性の登録を行うことができる。
【０２２１】
［その他の変型例］
【０２２２】
プレイ後において、ユーザが携帯端末７０１によりサーバ６０１にアクセスしたとき、サーバ６０１は、地域確認画面が携帯端末７０１に表示されるようにデータを送信し、携帯端末７０１からの地域属性の修正指示を受け付けるようにしてもよい。
【０２２３】
図３０は、ユーザのプレイ時における写真シール作成装置１とサーバ６０１との動作の別の例を示すシーケンス図である。
【０２２４】
図３０において、ステップＳ１５１〜Ｓ１５８の動作は、図１０におけるステップＳ１１１〜Ｓ１１８の動作と同一であるため、説明を省略する。
【０２２５】
ステップＳ１５８で携帯端末７０１が取得ＵＲＬを受信すると、ステップＳ１６１において、ユーザは、取得ＵＲＬを用いて、携帯端末７０１からサーバ６０１にアクセスする。
【０２２６】
ステップＳ１６２において、サーバ６０１は、携帯端末用の地域確認画面を生成し、表示する（携帯端末７０１に表示用のデータを送信することで、携帯端末７０１に地域確認画面が表示される）。
【０２２７】
図３１は、携帯端末７０１に表示される地域確認画面の一例を示す図である。
【０２２８】
図３１に示されるように、地域確認画面Ｇ５１は、現在そのユーザに対応するメールアドレスについて関連付けられている地域属性が印で示された地図と、地域属性が確かなものであるか否かユーザに確認させる文字と、ユーザに応答させるためのボタンとを含んでいる。ユーザは、地域属性が確かであるか否か、地域確認画面Ｇ５１の２つのボタンのいずれかを押下することで、容易に、サーバ６０１に通知できる。なお、地域確認画面Ｇ５１は、ユーザが滅多に訪れない地域でプレイを行った場合などにおいてサーバ６０１に送信された地域属性をユーザのメールアドレスに対応する地域属性として設定しないようにするために、ユーザに表示される。そのため、ユーザへの確認は、例えば、「住んでいる場所は関西で合っているか？」など、ユーザが普段いる地域として適切であるどうかを尋ねる文言を表示することにより行われればよい。
【０２２９】
図３０に戻って、表示された地域確認画面Ｇ５１において地域属性が間違っていた場合には、ステップＳ１６３において、ユーザは、携帯端末７０１を用いて、サーバ６０１に対して修正指示を送信する。例えば、地域確認画面Ｇ５１において地域属性が誤っている旨がサーバ６０１に送信されると、サーバ６０１は、地域属性の入力画面を携帯端末７０１に表示させる。この入力画面にユーザが修正指示を入力すると、修正指示がサーバ６０１に送信され、サーバ６０１で受け付けられる。
【０２３０】
ステップＳ１６４において、サーバ６０１は、修正指示を受信すると、受信した修正指示を用いて、宛先データベース６２１の更新記録を行う。すなわち、ユーザのメールアドレスと関連付けられている地域属性が更新される。これにより、ユーザの修正指示が、宛先データベース６２１に反映される。
【０２３１】
ステップＳ１６５〜Ｓ１６７の処理も、上述のステップＳ１１９〜Ｓ１２１の処理と同様である。すなわち、ユーザは、取得ＵＲＬに基づいてサーバ６０１にアクセスすることで、サーバ６０１から携帯端末機用画像の画像データを取得できる。
【０２３２】
このようにユーザに地域属性について確認してもらい、必要な場合は修正指示を受け付けることにより、宛先データベース６２１におけるメールアドレスと地域属性との関連性の確からしさをより高めることができる。ユーザは、携帯端末７０１を用いて、容易な操作方法で、地域属性を修正することができる。
【０２３３】
なお、上述の図３０には、ステップＳ１５６においていったん宛先データベース６２１の記録が行われ、その後、地域確認画面Ｇ５１を通じてユーザに地域属性を確認させ、ユーザの指示に応じて宛先データベース６２１の更新記録を行う例が示されているが、宛先データベース６２１へ情報を記録するタイミングはこれに限られるものではない。例えば、ステップＳ１５６における宛先データベース６２１への記録は行わずに、ユーザに地域確認画面Ｇ５１を表示させてユーザの確認を経た後に、確認結果に応じて宛先データベース６２１の更新記録を行うようにしてもよい。また、送信されたメールアドレスについて既に宛先データベース６２１にレコードが記録されている場合において、このようにステップＳ１５６における記録を行わないような処理を行うことができる。
【０２３４】
また、そのとき送信されたメールアドレスに対応する地域属性が、すでに宛先データベース６２１に記録されているそのメールアドレスに対応する地域属性と異なるときにのみ、上述のようにユーザに確認を要求するようにしてもよい。
【０２３５】
なお、地域確認画面を閲覧するためのＵＲＬは、上述においては取得ＵＲＬとして説明したが、これに限られない。すなわち、取得ＵＲＬ及びそれとは異なる確認ＵＲＬがサーバ６０１から携帯端末７０１に送信され、確認ＵＲＬを用いてユーザが地域確認画面にアクセスできるようにしてもよい。
【０２３６】
図３２は、携帯端末７０１に表示される地域確認画面の別の例を示す図である。
【０２３７】
なお、地域確認画面は、図３２に示されているようなものであってもよい。すなわち、地域確認画面Ｇ５２は、地域確認画面Ｇ５１と比較して地図が含まれていない。このように、文字のみにより、地域属性が確かなものであるか否かユーザに確認を促すようにしてもよい。
【０２３８】
なお、図３１及び図３２の場合において、ユーザに確認した地域が間違っている場合（図３１又は図３２でＮＯを選択する操作が行われた場合）、その修正指示を受け付けたサーバ６０１は、既に記録されている地域属性を「ＮＵＬＬ」に更新し、登録されているメールアドレス宛に、電子メールで、新たな地域属性の登録を促す案内を送信するようにしてもよい。
【０２３９】
なお、各写真シール作成装置１において、ユーザのプレイ時に、サーバ６０１に送信される地域属性についてユーザに確認するようにしてもよい。
【０２４０】
図３３は、プレイ時に行われる処理の変型例を説明するフローチャートである。
【０２４１】
図３３において、ステップＳ４３１〜Ｓ４３３の処理及びステップＳ４３７，Ｓ４３８の処理は、図２１におけるステップＳ４１１〜Ｓ４１５の処理と同一であるため、説明を省略する。
【０２４２】
本変型例においては、メールアドレスの入力が受け付けられると、ステップＳ４３４において、地域確認画面が例えば外部モニタ５２１に表示される。
【０２４３】
ステップＳ４３５において、制御部５０１は、地域確認画面を通じて、ユーザによる変更操作を受け付ける。
【０２４４】
図３４は、外部モニタ５２１に表示される地域確認画面の一例を示す図である。
【０２４５】
図３４に示されるように、地域確認画面Ｇ２１は、現在そのユーザに対応するメールアドレスについて関連付けられている地域属性が印で示された地図と、地域属性が確かなものであるか否かユーザに確認させる文字と、ユーザに応答させるためのボタンとを含んでいる。
【０２４６】
ここで、地域確認画面Ｇ２１は、メールマガジンを配信の有無について、ユーザの意思を確認する画面としても用いられている。すなわち、少なくともメールマガジンの配信に同意しない場合には、表示されているボタンのうち「配信しない」を押下操作する。
【０２４７】
他方、メールマガジンの配信に同意する場合には、ユーザは、地域属性が適切であるか否かを判断する。ユーザは、メールマガジンの配信に同意する場合において、表示されている地域属性でよいときには、そのまま、表示されているボタンのうち「ＯＫ」を押下操作する。地域属性が適切でない場合は、ユーザは、地図上の適切な位置を選択する操作を行う。例えば、地域確認画面Ｇ２１のように関西が地域属性として設定されている場合において、ユーザが九州を選択した場合には、地域確認画面Ｇ２２のように、画面が変わる。ユーザは、変更後の地域でよい場合には、「ＯＫ」を押下操作する。
【０２４８】
図３３に戻って、ステップＳ４３５で地域属性が変更された場合には、ステップＳ４３６において、制御部５０１は、変更内容に応じて、サーバ６０１に送信する地域属性を変更する。
【０２４９】
他方、ステップＳ４３５で地域属性が変更されなかった場合には、制御部５０１は、サーバ６０１に送信する地域属性を変更せず、そのまま送信するように取り扱う。
【０２５０】
ステップＳ４３７において、制御部５０１は、このように地域確認画面Ｇ２１を通じて行われたユーザによる操作に応じて、サーバ６０１に情報を送信する。
【０２５１】
このように、ユーザに地域確認画面Ｇ２１を通じて地域属性について確認を行うので、サーバ６０１に送信される地域属性を、ユーザ毎に、適切に変更することができる。
【０２５２】
［実施の形態における効果］
【０２５３】
以上説明したように、本実施の形態では、写真シール作成装置１からサーバ６０１に送信される情報において、ユーザの宛先情報であるメールアドレスと、写真シール作成装置１に予め設定されている地域属性とが関連付けられて含まれている。これらの情報は、サーバ６０１において、宛先データベース６２１に記録される。したがって、必要な場合に、宛先データベース６２１を参照することで、メールアドレスに対応する地域属性を容易に判別することができる。
【０２５４】
本実施の形態では、写真シール作成装置１に予め設定されている地域属性を用いてユーザの地域属性を取得することができる。したがって、写真シール作成装置１にＧＰＳなどを設けた場合と比較して、写真シール作成装置１の構成を簡素にすることができ、写真シール作成装置１の製造コストを低減できる。また、写真シール作成装置１が屋内でも屋外でも、地域属性の取得には関係がない。したがって、常に適正な地域属性を取得することができる。
【０２５５】
［その他］
【０２５６】
上述の実施の形態や変型例のそれぞれの特徴部分を適宜組み合わせて、写真シール遊技システムを構成してもよい。
【０２５７】
プレイ時において、メールアドレスの入力受け付けは、上述のタイミングで行われるものに限らない。例えば、メールアドレスの入力受け付けは、外部モニタの受け付けの段階で実行されるようにしてもよい。これにより、撮影がスタートしたユーザがすべてのプレイを完了するまでにかかる時間が短くなり、写真シール作成装置１を多数のユーザに効率良く利用させることができる。
【０２５８】
写真シール作成装置は、プレイの実行時において、設定されている地域属性に応じた動作を行うようにしてもよい。例えば、地域属性に応じた特産品の図や名物キャラクターなどを、落書き編集時に簡単に画像に追加できるように、落書きに用いられるパレット・スタンプ背景画像として表示するようにしてもよい。また、地域属性に応じた方言により音声案内がなされるようにしてもよい。また、出力されるシールの余白部分に、地域属性に応じたコメントやイラストがプリントされるようにしてもよい。このように、設定されている地域属性に応じて実際のプレイ時の動作が変化するようにする場合、間違った地域属性であるとプレイに支障が生じる場合がある。したがって、この場合、写真シール作成装置の地域属性が適切に設定されやすくなり、より確からしい地域属性を用いた宛先データベースの構築が可能となる。
【０２５９】
宛先情報は、電子メールアドレスに限られない。例えば、他の通信方式やウェブサービスなどで、ユーザの連絡先として用いられる情報であってもよい。
【０２６０】
プレイ提供装置は、写真シール作成装置に限られず、他種のものであってもよい。また、管理サーバは、１台のサーバ装置を用いて構成されていてもよいし、例えば機能毎に分かれた複数台のサーバ装置により全体の機能が実行されるようにして構成されていてもよい。
【０２６１】
上述の実施の形態における処理は、ソフトウェアによって行っても、ハードウェア回路を用いて行ってもよい。
【０２６２】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０２６３】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２６４】
１  写真シール作成装置（プレイ提供装置の一例）
５０１  制御部
５０２  ＣＰＵ
５０３  メモリ
５０４  画像処理部
５０５  記憶部
５０７  制御プログラム
５０９  通信部
５１５  カメラ（撮影手段）
５２１  外部モニタ
５８１  編集モニタ
６０１  管理サーバ（管理装置の一例）
６５０  制御部
６０３  通信部
６０５  記憶部
６０７  制御プログラム
６２１  宛先データベース
６２３  装置管理データベース
７０１  携帯端末
９０１  写真シール遊戯システム（宛先情報管理システムの一例）
【図１】
2014081810.tif 000003
【図２】
2014081810.tif 000004
【図３】
2014081810.tif 000005
【図４】
2014081810.tif 000006
【図５】
2014081810.tif 000007
【図６】
2014081810.tif 000008
【図７】
2014081810.tif 000009
【図８】
2014081810.tif 000010
【図９】
2014081810.tif 000011
【図１０】
2014081810.tif 000012
【図１１】
2014081810.tif 000013
【図１２】
2014081810.tif 000014
【図１３】
2014081810.tif 000015
【図１４】
2014081810.tif 000016
【図１５】
2014081810.tif 000017
【図１６】
2014081810.tif 000018
【図１７】
2014081810.tif 000019
【図１８】
2014081810.tif 000020
【図１９】
2014081810.tif 000021
【図２０】
2014081810.tif 000022
【図２１】
2014081810.tif 000023
【図２２】
2014081810.tif 000024
【図２３】
2014081810.tif 000025
【図２４】
2014081810.tif 000026
【図２５】
2014081810.tif 000027
【図２６】
2014081810.tif 000028
【図２７】
2014081810.tif 000029
【図２８】
2014081810.tif 000030
【図２９】
2014081810.tif 000031
【図３０】
2014081810.tif 000032
【図３１】
2014081810.tif 000033
【図３２】
2014081810.tif 000034
【図３３】
2014081810.tif 000035
【図３４】
2014081810.tif 000036